(57)【要約】【課題】表示パネルが表示している指標像の視認性を確保しつつ、ムーブメントを支持する強度を高め、ムーブメントから表示パネルの外周までの電気配線を簡素化する。【解決手段】指針計器１は、指標を表す指標像を表示面６０に表示する表示パネル６と、表示面６０の前方側に配置されると共に、指標像を指示して回転する指針２と、表示面６０の前方側に配置されると共に、指針２を回転させるムーブメント３と、表示面６０の前方側に配置されると共に、ムーブメント３を支持する光透過性の板状部材５と、表示パネル６と指針２とムーブメント３と板状部材５とを収容固定する計器筐体８１〜８３と、を備え、板状部材５が、板状部材５の外周側で計器筐体８１〜８３に固定され、且つ、板状部材５上においてムーブメント３を支持している支持部５２側から外周側まで透明導電層５３を延設させている。【選択図】図２
2009186286.tif 000002
【特許請求の範囲】
【請求項１】
指標を表す指標像を表示面に表示する表示パネルと、
前記表示面の前方側に配置されると共に、前記指標像を指示して回転する指針と、
前記前方側に配置されると共に、前記指針を回転させるムーブメントと、
前記前方側に配置されると共に、前記ムーブメントを支持する光透過性の板状部材と、
前記表示パネルと前記指針と前記ムーブメントと前記板状部材とを収容固定する計器筐体と、を備え、
前記板状部材は、前記板状部材の外周側で前記計器筐体に固定され、且つ、前記板状部材上において前記ムーブメントを支持している支持部側から前記外周側まで透明導電層を延設させていることを特徴とする指針計器。
【請求項２】
前記板状部材は、前記指針の背後側に配置されていることを特徴とする請求項１に記載の指針計器。
【請求項３】
前記板状部材は、前記指針の前方側に配置されていることを特徴とする請求項１に記載の指針計器。
【請求項４】
前記支持部を隠蔽する遮光部材を、前記板状部材の前面側に設けていることを特徴とする請求項１〜３のいずれか一項に記載の指針計器。
【請求項５】
前記支持部は、前記板状部材の裏面側に配置され、
前記遮光部材は、前記板状部材の前面に形成された遮光層であることを特徴とする請求項４に記載の指針計器。
【請求項６】
前記ムーブメントは、前記板状部材の裏面側に配置され、
前記板状部材は、曇りガラス調に形成されていることを特徴とする請求項１〜５のいずれか一項に記載の指針計器。
【発明の詳細な説明】
【技術分野】
【０００１】
本発明は、表示パネルの前方側に指針を配置した指針計器に関するものである。
【背景技術】
【０００２】
表示パネルとして液晶パネルと、液晶パネルの表示面の前方側に配置された指針と、表示面の前方側に配置されて指針を回転させるムーブメントとを備える指針計器が開示されている。（特許文献１を参照）
この指針計器において、液晶パネルは、文字や目盛等の指標を表す指標像を表示面に表示し、指針は、指標像を指示して回転する。これにより、指針計器は、例えば、自車両の速度やエンジン回転数等を表示する。
【０００３】
具体的には、液晶パネルの表示面であって指標像の外周に環状部材が設けられ、アーム状の支持部材の一端がムーブメントを支持し、支持部材の他端が環状部材に固定されている。支持部材は、指標像が見えなくならないように、指標像の表示範囲を外した位置に細いアーム状で形成されている。
【０００４】
また、ムーブメント駆動用のプリント基板が液晶パネルの背後に配置され、ムーブメント駆動用のプリント基板とムーブメントとを接続する電気配線は、指標像が見えなくならないように、支持部材内を通して液晶パネルの外周側からプリント基板に接続されている。
【特許文献１】特開２００６−１６２５６９号公報
【発明の開示】
【発明が解決しようとする課題】
【０００５】
上述の従来技術では、支持部材を細いアーム状にする必要があるため、ムーブメントを支持する強度が低くなっている。支持部材を太くすれば、支持強度を高めることが可能となるが、支持部材によって指標像の視認性が確保できなくなる。また、ムーブメントとプリント基板とを接続する電気配線を、細いアーム状の支持部材内を通す構成にする必要があるため、ムーブメントから表示パネルの外周までの電気配線の構成を複雑化している。
【０００６】
本発明は、このような事情を考慮してなされたものであり、指針と指針を回転させるムーブメントとを表示パネルの前方側に配置した指針計器において、表示パネルが表示している指標像の視認性を確保しつつ、ムーブメントの支持強度を高め、ムーブメントから表示パネルの外周までの電気配線を簡素化することを目的とする。
【課題を解決するための手段】
【０００７】
本発明は上記目的を達成するため、以下の技術的手段を採用する。
【０００８】
請求項１に記載の指針計器は、指標を表す指標像を表示面に表示する表示パネルと、表示面の前方側に配置されると共に、指標像を指示して回転する指針と、前方側に配置されると共に、指針を回転させるムーブメントと、前方側に配置されると共に、ムーブメントを支持する光透過性の板状部材と、表示パネルと指針とムーブメントと板状部材とを収容固定する計器筐体と、を備え、板状部材が、板状部材の外周側で計器筐体に固定され、且つ、板状部材上においてムーブメントを支持している支持部側から外周側まで透明導電層を延設させていることを特徴とする。
【０００９】
請求項１に記載の発明によれば、外周側で計器筐体に固定されている板状部材がムーブメントを支持しているため、アーム状の支持部材がムーブメントを支持している構成と比較して、ムーブメントを支持する強度を高めることができる。また、表示パネルの表示面の前方側に配置されている板状部材が、光透過性を有するため、板状部材を通して指標像を視認できる。また、板状部材上においてムーブメントを支持している支持部側から外周側まで透明導電層を延設させているため、透明導電層を通して指標像を視認できると共に、ムーブメントから表示パネルの外周までの電気配線を、板状部材上において透明導電層によって簡素化して形成できる。
【００１０】
したがって、表示パネルが表示している指標像の視認性を確保しつつ、ムーブメントを支持する強度を高め、ムーブメントから表示パネルの外周までの電気配線を簡素化できる。
【００１１】
請求項２に記載の発明によれば、板状部材が、指針の背後側に配置されているため、板状部材が支持しているムーブメントも、指針の背後側に配置されている。このため、指針の回転中心側が、ムーブメントによって妨げられないで視認できるため、指針の視認性を向上できる。
【００１２】
請求項３に記載の発明によれば、板状部材が、指針の前方側に配置されているため、板状部材を光透過性のカバーとして共用できる。したがって、指針計器の構成を簡素化できる。
【００１３】
請求項４と５に記載の発明によれば、板状部材においてムーブメントを支持している支持部を隠蔽しているため、指針計器の見映えを向上できる。
【００１４】
請求項６に記載の発明によれば、板状部材の裏面側に配置されたムーブメントの側面が、曇りガラス調に形成されている板状部材を通して見難くなっているため、指針計器の見映えを向上できる。
【発明を実施するための最良の形態】
【００１５】
以下、本発明の実施形態を図面に基づいて説明する。以下の各実施形態相互において、図中の互いに同一若しくは均等である部分に、同一符号を付している。
【００１６】
（第１実施形態）
図１に示すコンビネーションメータ１００は、車室内の運転席前方に設けたインストルメントパネル内に配置され、自車両の走行速度を表示するスピードメータ１と、自車両のエンジン回転数を表示するタコメータ１１とを備える。
【００１７】
図１と図２に示すスピードメータ１は、液晶パネル６と、液晶パネル６の表示面６０の前方側（図２において左側）に配置された指針２を備え、文字を表わす文字画像６１と目盛を表す目盛画像６２が表示面６０に表示される。文字画像６１と目盛画像６２を指針２が指示して回転し、これにより、スピードメータ１は、自車両の走行速度を表示する。
【００１８】
図１に示すタコメータ１１は、スピードメータ１と共通の液晶パネル６と、液晶パネル６の表示面６０の前方側に配置された指針１２を備え、文字を表わす文字画像１６１と目盛を表す目盛画像１６２が表示面６０に表示される。文字画像１６１と目盛画像１６２を指針１２が指示して回転し、これにより、タコメータ１１は、自車両のエンジン回転数を表示する。
【００１９】
以下、スピードメータ１を例にして本実施形態を説明する。
【００２０】
液晶パネル６は、画素を格子状に均等配列したドットマトリクスタイプのＴＦＴ（Ｔｈｉｎ  Ｆｉｌｍ  Ｔｒａｎｓｉｓｔｏｒ）液晶パネルが用いられ、マイクロコンピュータ等から構成される制御装置７１によって駆動される。図２に示すように、液晶パネル６の背後（図２において右側）には、液晶パネル６を透過照明する発光ダイオード６４が配置され、液晶パネル６と発光ダイオード６４の間には、発光ダイオード６４からの光を拡散させて均一に液晶パネル６に導く光拡散板６３が配置される。発光ダイオード６４の点燈・消燈の制御も、制御装置７１によって行われ、制御装置７１と発光ダイオード６４は、液晶パネル６の背後に配置されたプリント基板７に実装される。
【００２１】
液晶パネル６は、制御装置７１によって駆動され、光拡散板６３を介して発光ダイオード６４からの光によって均一に透過照明されて、文字画像６１，１６１と目盛画像６２，１６２を表示面６０に表示する。
【００２２】
指針２を回転させるムーブメント３と、ムーブメント３を支持する光透過性の透光板５が、液晶パネル６の表示面６０の前方側に配置され、透光板５は、指針２の背後側（図２において右側）に配置される。
る。
【００２３】
ムーブメント３は、透光板５の裏面側（図２において右側）に配置され、例えば交差コイル式アクチュエータ、あるいはステッピングモータ等を樹脂ケースに内蔵したものであり、外部からの電気信号（本実施形態においては車速信号）に対応した角度だけ指針軸３１を回転させるものである。複数の鍔部３２が、ムーブメント３の樹脂ケースの側面３３に設けられ、複数の鍔部３２に対応させて、複数の支持部５２が透光板５の裏面５０２側に設けられる。鍔部３２の貫通孔を通して支持部５２のネジ穴にビス３４を差し込んで締め付けることによって、ムーブメント３は、透光板５に固定される。
【００２４】
プリント基板４は、ムーブメント３に半田固定され、指針２に光を入射させて指針２を発光表示させる発光ダイオード４１は、プリント基板４に実装される。指針軸３１は、プリント基板４の貫通孔と透光板５の貫通孔５１を通して透光板５の前面５０１側へ延出し、その先端に指針２が固定される。
【００２５】
透光板５は、光透過性で曇りガラス調（スモーク調）に調整されたアクリル樹脂等の板材から形成され、透光板５の外周側が、透明カバー８１とケース８２，８３からなる計器筐体に固定される。支持部５２を隠蔽する例えば黒色の遮光層５４が、透光板５の前面５０１に形成され、透明で導電性を有するＩＴＯ層５３が、透光板５の裏面５０２において透光板５の支持部５２側から透光板５の外周側まで延設される。ＩＴＯは、酸化インジウムに数パーセントの酸化スズを添加した化合物であって、透光板５にスパッタ蒸着等によって形成される。
【００２６】
スピードメータ１とタコメータ１１は、請求項に記載の指針計器に相当し、透光板５は、請求項に記載の板状部材に相当し、ＩＴＯ層５３は、請求項に記載の透明導電層に相当し、液晶パネル６は、請求項に記載の表示パネルに相当し、文字画像６１，１６１と目盛画像６２，１６２は、請求項に記載の指標像に相当する。
【００２７】
プリント基板４のプリント配線とＩＴＯ層５３の電気的導通は、これらの間に例えば導電性ゴムを介在させ、ムーブメント３を透光板５に固定させる圧着力を、プリント基板４のプリント配線とＩＴＯ層５３にかけて行う。ＩＴＯ層５３とプリント基板７は、金属の接続ターミナル７２によって、電気的に接続され、これにより、プリント基板４，７は、電気的に接続される。
【００２８】
接続ターミナル７２とＩＴＯ層５３は、接続ターミナル７２の弾性力による圧着力によって電気的に接続され、接続ターミナル７２とプリント基板７も、接続ターミナル７２の弾性力による圧着力によって電気的に接続される。なお、ケース８２に形成された凹部８２１に、接続ターミナル７２とＩＴＯ層５３の接続部分を配置して、この接続部分を隠蔽する。
【００２９】
ムーブメント３の駆動と発光ダイオード４１の点燈・消燈は、プリント基板４，７とＩＴＯ層５３と接続ターミナル７２とを介して、制御装置７１によって行われる。
【００３０】
指針２の前面側（図２の左側）には、遮光キャップ２１が装着される。遮光キャップ２１は、遮光性を有する黒色樹脂等から形成され、発光ダイオード４１の光が運転者の目に直接入射することを防止するものである。
【００３１】
液晶パネル６と指針２とムーブメント３とプリント基板７と透光板５等は、透明カバー８１とケース８２，８３からなる計器筐体に収容固定される。
【００３２】
以上のように、透明カバー８１とケース８２，８３からなる計器筐体に外周側が固定されている透光板５がムーブメント３を支持しているため、アーム状の支持部材がムーブメントを支持している構成と比較して、ムーブメント３を支持する強度を高めることができる。また、液晶パネル６の表示面６０の前方側に配置されている透光板５が、光透過性を有するため、透光板５を通して文字画像６１と目盛画像６２を視認できる。
【００３３】
また、透光板５上においてムーブメント３を支持している支持部５２側から外周側までＩＴＯ層５３を延設させているため、ＩＴＯ層５３を通して文字画像６１と目盛画像６２を視認できると共に、ムーブメント３から液晶パネル６の外周までの電気配線を、透光板５上においてＩＴＯ層５３によって簡素化して形成できる。即ち、プリント基板４とプリント基板７を接続する電気配線が、文字画像６１と目盛画像６２を見えなくしないようにするために、例えば、図２において液晶パネルの中央側に貫通孔を形成し、この電気配線をこの貫通孔に通す等の複雑な構成を採る必要がなくなっている。
【００３４】
以上により、液晶パネル６が表示している文字画像６１と目盛画像６２の視認性を確保しつつ、ムーブメント３の支持強度を高め、ムーブメント３から液晶パネル６の外周までの電気配線を簡素化できる。
【００３５】
また、透光板５が、指針２の背後側に配置されているため、透光板５が支持しているムーブメント３も、指針２の背後側に配置されている。このため、指針２の回転中心側が、ムーブメント３によって妨げられないで視認できるため、指針２の視認性を向上できる。
【００３６】
また、ムーブメント３を支持している支持部５２を遮光層５４によって隠蔽しているため、スピードメータ１の見映えを向上できる。
【００３７】
また、透光板５の裏面５０２側に配置されたムーブメント３の側面３３が、曇りガラス調に形成されている透光板５を通して見難くなっているため、スピードメータ１の見映えを向上できる。なお、透光板５の曇りガラス調は、文字画像６１と目盛画像６２を視認できる程度であって、ムーブメント３の側面３３が見難くなる程度に調整される。
【００３８】
図１に示すタコメータ１１は、スピードメータ１と共通の液晶パネル６と、スピードメータ１と共通の透光板５を備え、スピードメータ１と同様であるため、タコメータ１１の説明を省略する。
【００３９】
（第２実施形態）
図１と図２で示す第１実施形態では、コンビネーションメータ１００のスピードメータ１において、ムーブメント３と透光板５が指針２の背後側に配置されていたが、これに限らない。図３と図４で示すように、第２実施形態では、コンビネーションメータ１００Ａのスピードメータ１Ａにおいて、ムーブメント３と透光板５Ａが指針２の前方側に配置される。以下、スピードメータ１Ａを例にして本実施形態を説明する。
【００４０】
具体的には、図４に示すように、指針軸３１が液晶パネル６の表示面６０側へ延出する配置で、鍔部３２の貫通孔を通して支持部５２のネジ穴にビス３４を差し込んで締め付けることによって、ムーブメント３が、透光板５Ａに固定される。プリント基板４のプリント配線とＩＴＯ層５３は、リード線５３１によって電気的に接続され、プリント配線とリード線５３１は、半田固定され、ＩＴＯ層５３とリード線５３１は、例えば導電性の接着剤によって電気的に接続される。ケース８２Ａに形成された凹部８２１Ａに、接続ターミナル７２とＩＴＯ層５３の接続部分を配置して、この接続部分を隠蔽する。
【００４１】
また、支持部５２とムーブメント３の両方を隠蔽する例えば黒色の遮光層５４Ａが、透光板５の前面５０１に形成される。なお、第２実施形態では、発光ダイオード４１からの光りが指針２に向かって背後側に進行するため、第１実施形態（図２）の遮光キャップ２１が不要となっている。
【００４２】
スピードメータ１Ａとタコメータ１１Ａは、請求項に記載の指針計器に相当し、透光板５Ａは、請求項に記載の板状部材に相当する。
【００４３】
第２実施形態では、以上のように、透光板５が、指針２の前方側に配置されているため、透光板５を光透過性のカバーとして共用できる。したがって、図２に示した透明カバー８１を省略できて、スピードメータ１Ａの構成を簡素化できると共に、第１実施形態と同様の効果を得ることができる。
【００４４】
図３に示すタコメータ１１Ａは、スピードメータ１Ａと共通の液晶パネル６と、スピードメータ１Ａと共通の透光板５Ａを備え、スピードメータ１Ａと同様であるため、タコメータ１１の説明を省略する。
【００４５】
なお、上述の実施形態では、ムーブメント３と透光板５、５Ａを、ネジ締めによって固定したが、これに限らないで、引っ掛けや、熱カシメ等によって固定することも可能である。
【００４６】
また、上述の実施形態では、ＩＴＯ層５３を透明導電層としたが、これに限らないで、酸化亜鉛系等の透明導電層とすることが可能である。
【００４７】
また、ＩＴＯ層５３とプリント基板７を、接続ターミナル７２によって電気的に接続したが、これに限らないで、リード線によって接続することが可能である。プリント基板７のプリント配線とリード線とを、半田固定し、ＩＴＯ層５３とリード線とを、例えば導電性接着剤によって電気的に接続することが可能である。
【００４８】
また、第１実施形態では、プリント基板４のプリント配線とＩＴＯ層５３の間に例えば導電性ゴムを介在させ、ムーブメント３を透光板５に固定させる圧着力を、プリント基板４のプリント配線とＩＴＯ層５３にかけることによって、これらを導通させたが、これに限らない。プリント基板４のプリント配線とＩＴＯ層５３を、例えば導電性接着剤によって電気的に接続させ、ムーブメント３を透光板５に固定させる圧着力が、プリント基板４のプリント配線とＩＴＯ層５３にかからないように構成することも可能である。
【００４９】
これらによっても、上述の実施形態と同様の効果を得ることができる。
【図面の簡単な説明】
【００５０】
【図１】本発明の第１実施形態によるスピードメータを備えたコンビネーションメータの正面図である。
【図２】図１中のＩＩ−ＩＩ線の断面図である。
【図３】本発明の第２実施形態によるスピードメータを備えたコンビネーションメータの正面図である。
【図４】図３中のＩＶ−ＩＶ線の断面図である。
【符号の説明】
【００５１】
１００，１００Ａ  コンビネーションメータ、１、１Ａ  スピードメータ（指針計器）
２  指針、２１  遮光キャップ、３  ムーブメント、３１  指針軸、３２  鍔部
３３  側面、３４  ビス、４  プリント基板、４１  発光ダイオード
５、５Ａ  透光板（板状部材）、５０１  前面、５０２  裏面、５１  貫通孔
５２  支持部、５３  ＩＴＯ層（透明導電層）、５３１  リード線
５４，５４Ａ  遮光層（遮光部材）、６  液晶パネル（表示パネル）、６０  表示面
６１，１６１  文字画像（指標像）、６２，１６２  目盛画像（指標像）
６３  光拡散板、６４  発光ダイオード、７  プリント基板、７１  制御装置
７２  接続ターミナル、８１  透明カバー（計器筐体）
８２，８２Ａ，８３  ケース（計器筐体）、８２１，８２１Ａ  凹部
１１，１１Ａ  タコメータ（指針計器）、１２  指針
【図１】
2009186286.tif 000003
【図２】
2009186286.tif 000004
【図３】
2009186286.tif 000005
【図４】
2009186286.tif 000006